(57)【要約】【課題】  シャツの襟腰に内嵌する際の径方向の剛性を高めて保形性を向上させることができるとともに、シャツの襟腰の前部を起立状態にすることのできる襟腰用保形体を提供することを課題とする。【解決手段】  中央から左右両側に延びる一対の保形片を備え、最上にあるボタンが留められて前身頃及び後身頃に繋がる襟腰が環状になったシャツの前記襟腰に対し、前記一対の保形片の先端側同士を重ねて環状にした状態で、前記中央を前記ボタンの配置に対応させるようにして内嵌される襟腰用保形体において、各保形片は、前記中央から先端側に向けて下り傾斜に形成されていることを特徴とする。【選択図】図２
2008095214.tif 000002
【特許請求の範囲】
【請求項１】
中央から左右両側に延びる一対の保形片を備え、最上にあるボタンが留められて前身頃及び後身頃に繋がる襟腰が環状になったシャツの前記襟腰に対し、前記一対の保形片の先端側同士を重ねて環状にした状態で、前記中央を前記ボタンの配置に対応させるようにして内嵌される襟腰用保形体において、各保形片は、前記中央から先端側に向けて下り傾斜に形成されていることを特徴とする襟腰用保形体。
【請求項２】
中央部の下端から下方に向けて延出した支持部を更に備えている請求項１記載の襟腰用保形体。
【発明の詳細な説明】
【技術分野】
【０００１】
本発明は、最上にあるボタンが留められて前身頃及び後身頃に繋がる襟腰が環状になったシャツの前記襟腰に対して内嵌し、襟腰を保形する襟腰用保形体に関する。
【背景技術】
【０００２】
従来から、ワイシャツやポロシャツ等のシャツを流通させる際にシワが発生したり型くずれしたりするのを防止すべく、流通過程におかれるシャツに保形体が装着されるのが一般的である。
【０００３】
かかる保形体には、保形する部位に応じて種々のものが提供されており、その一つとして、図１０（ａ）に示す如く、最上のボタンＢ’が留められることで、前身頃Ｓｆ’及び後身頃Ｓｒ’に繋がる襟腰Ｃ’（首周りに対応する部位）が環状になったシャツＳ’の前記襟腰Ｃ’に対して内嵌される襟腰用保形体１’がある。
【０００４】
かかる襟腰用保形体１’は、厚紙や樹脂シート等のシート材を打ち抜いて或いは裁断して形成されるもので、図１０（ｂ）に示す如く、帯状に形成したもの、すなわち、中央（垂直方向に延びる中心線ＣＬ’）から左右両側に真っ直ぐ延びる一対の保形片１０ａ’，１０ｂ’を備えたものや、図１０（ｃ）に示す如く、中央（垂直方向に延びる中心線ＣＬ’）から左右両側に延び、先端側に向かうにつれて上り傾斜した一対の保形片１０ａ’，１０ｂ’を備えたもの等がある。
【０００５】
これらの襟腰用保形体１’は、一方の保形片１０ａ’に複数の係止穴１１’…が長手方向に間隔をおいて設けられるとともに、他方の保形片１０ｂ’の先端に前記係止穴１１’…に挿入する係止片１２’…が延設されており、係止片１２’…を何れかの係止穴１１’…に挿入することで、襟腰Ｃ’の内周に対応した周長に調整することができ、保形片１０ａ’，１０ｂ’の両端部同士を重ね合わせた状態で連結できるようになっている。
【０００６】
そして、上記何れの襟腰用保形体１’も、保形片１０ａ’，１０ｂ’の両端部同士を連結して環状にした上で、中央を前記ボタンＢ’の配置に対応させるようにして襟腰Ｃ’に内嵌することで、該襟腰Ｃ’の倒れや型くずれを防止するようになっている。
【発明の開示】
【発明が解決しようとする課題】
【０００７】
しかしながら、図１０（ｂ）に示す襟腰用保形体１’は、一対の保形片１０ａ’，１０ｂ’が真っ直ぐ一列に並んで帯状に形成されたもので、それを単に環状（筒状）にして襟腰Ｃ’に内嵌するものであるため、シャツＳ’に内装した状態で径方向に変形し易く、シャツＳ’が運搬されたり積み上げられたりした際に（特に、雑に取り扱われたときに）、シャツＳ’の変形に抗することができず、襟腰Ｃ’を保形するのに限界がある。
【０００８】
他方、図１０（ｃ）に示す襟腰用保形体１’は、一対の保形片１０ａ’，１０ｂ’のそれぞれを、先端側ほど上り傾斜するようにして全体としてＶ字状を呈しているので、環状にしたときの径方向の変形が、図１０（ｂ）に示した襟腰用保形体１’に比して是正されるが、図１１に示す如く、シャツＳ’の襟腰Ｃ’に内嵌した状態で、シャツＳ’の前部に対応する中央部が下端側から前身頃Ｓｆ’と後身頃Ｓｒ’との間に滑り込むような姿勢（上部が下部よりも襟腰Ｃ’から離れるように傾斜（横臥）した態様）になってしまい、襟腰Ｃ’の前部（打ち合わせ部分）Ｘ’を起立状態で維持させるのに限界がある。特に、シャツＳ’を積み重ねてその荷重が襟腰用保形体１’に作用すると、該襟腰用保形体１’の前部が顕著に横臥してしまい、襟腰Ｃ’の保形を完全に行うことができなくなってしまう。
【０００９】
そこで、本発明は、斯かる実情に鑑み、シャツの襟腰に内嵌する際の径方向の剛性を高めて保形性を向上させることができるとともに、シャツの襟腰の前部を起立状態にすることのできる襟腰用保形体を提供することを課題とする。
【課題を解決するための手段】
【００１０】
本発明に係る襟腰用保形体は、中央から左右両側に延びる一対の保形片を備え、最上にあるボタンが留められて前身頃及び後身頃に繋がる襟腰が環状になったシャツの前記襟腰に対し、前記一対の保形片の先端側同士を重ねて環状にした状態で、前記中央を前記ボタンの配置に対応させるようにして内嵌される襟腰用保形体において、各保形片は、前記中央から先端側に向けて下り傾斜に形成されていることを特徴とする。
【００１１】
上記構成の襟腰用保形体は、各保形片が中央から先端側に向けて下り傾斜に形成されているので、環状にした状態で、真っ直ぐな筒状にならないため、径方向の剛性が高まることになる。そして、一対の保形片を環状にして襟腰に内嵌した状態で、ボタンに対応する中央において、下部が上部よりも襟腰から離れた態様になる。
【００１２】
これにより、シャツの襟腰に内嵌した状態で、中央部が下端側から前身頃と後身頃との間に滑り込むような姿勢（上部が下部よりも襟腰から離れるように傾斜した態様）にならず、襟腰の前部（打ち合わせ部分）を起立状態で保形することができる。特に、一対の保形片を環状にして襟腰に内嵌した際に、襟腰に密接する径に設定すると、該襟腰用保形体の中央（保形片同士の境界）の上端側が下端側よりも積極的に当接することになり、襟腰の前部を確実に起立状態にすることができる。
【００１３】
そして、本発明の一態様として、中央部の下端から下方に向けて延出した支持部を更に備えていることが好ましい。このようにすると、一対の保形片を環状にした際に下端の一部、すなわち、支持部が下方に向けて部分的に突出した態様となるため、全周に亘る下端（下端開口縁部）が同一平面上を通ることがない。そうすると、シャツを折り畳むことで襟腰の開口領域に対応する後身頃に対して、当該襟腰用保形体（一対の保形片）の下端（開口縁部）が全長に亘って当接しなくなる。これにより、襟腰用保形体の装着に伴って後身頃に環状の跡形（接触痕）が付くのを防止することができる。
【発明の効果】
【００１４】
以上のように、本発明に係る襟腰用保形体によれば、シャツの襟腰に内嵌する際の径方向の剛性を高めて保形性を向上させることができるとともに、シャツの襟腰の前部を起立状態にすることができるという優れた効果を奏し得る。
【発明を実施するための最良の形態】
【００１５】
以下、本発明の第一実施形態に係る襟腰用保形体について、添付図面を参照して説明する。
【００１６】
まず、本実施形態に係る襟腰用保形体が採用されるシャツについて、ワイシャツとポロシャツとを例に挙げて概略説明する。
【００１７】
ワイシャツ及びポロシャツは、図１（ａ）及び図１（ｂ）に示す如く、着用者の上半身の前面側を覆う前身頃Ｓｆ（前面側部分）と、該前身頃Ｓｆに連設されて着用者の背面側を覆う後身頃Ｓｒ（背面側部分）と、前記前身頃Ｓｆ及び後身頃Ｓｒに繋がり、着用者の首周りに位置する襟腰Ｃとを備え、該襟腰Ｃには、折返襟Ｃｒが接続されている。
【００１８】
そして、ワイシャツＳｙは、図１（ａ）に示す如く、前身頃Ｓｆが左右一対に分かれており、着用者の上半身前面で該一対の前身頃Ｓｆａ，Ｓｆｂの端部同士（いわゆる、打ち合わせ部分）Ｘを重ね合わせ、ボタンＢを介して一対の前身頃Ｓｆａ，Ｓｆｂを接続するようになっている。そのため、ワイシャツＳｙの襟腰Ｃは、最上のボタン（いわゆる、第一ボタン）Ｂを留めることで環状になるようになっている。かかるワイシャツＳｙは、一般的に一対の前身頃Ｓｆ及び後身頃Ｓｒに帯状の台襟Ｃｂが縫合され、その台襟Ｃｂの長手方向の一端部に最上のボタンＢが取り付けられるとともに、台襟Ｃｂの長手方向の他端部にボタンホール（図示しない）が設けられており、該ボタンＢをボタンホールに通す（ボタンＢを留める）ことで台襟Ｃｂが環状になるように構成されているため、該台襟Ｃｂが首周りに位置する襟腰Ｃとなる。
【００１９】
他方、ポロシャツＳｐは、図１（ｂ）に示す如く、ワイシャツＳｙとは異なり、前身頃Ｓｆの略中央位置の上部が、部分的に重なるように左右に分離しており、ボタンＢを介してその重なる部分（いわゆる、打ち合わせ部分）Ｘを接続するようになっている。そのため、ポロシャツＳｐの襟腰Ｃについても、最上のボタン（いわゆる、第一ボタン）Ｂを留めることで環状になるようになっている。かかるポロシャツＳｐは、襟腰Ｃと折返襟Ｃｒとが同一繊維で一体的に構成されたものや、前身頃Ｓｆ及び後身頃Ｓｒの上端に対し、全長に亘って又は部分的（例えば、後身頃Ｓｒ）に台襟（図示しない）が縫合され、該台襟に、又は、台襟と前後身頃Ｓｆ，Ｓｒとに跨って、折返襟Ｃｒが縫合されたもの等がある。従って、ポロシャツＳｐが台襟を備えている場合は、台襟を含む首周りの領域が襟腰Ｃとなり、ポロシャツＳｐが台襟を備えていない場合には、折返襟Ｃｒの基端側と連続している首周りの領域が襟腰Ｃとなる。なお、図１（ｂ）は、台襟を備えていないポロシャツＳｐを示している。
【００２０】
次に、図２乃至図４を参照して、本実施形態に係る襟腰用保形体について説明する。本実施形態に係る襟腰用保形体は、上述した一般的なワイシャツＳｙやポロシャツＳｐ等のシャツＳの襟腰Ｃ（首周りの領域）を保形するためのものである。本実施形態に係る襟腰用保形体は、樹脂シートを打ち抜いて或いは裁断して作製されたもので、図２（ａ）に示す如く、中央から左右両側に延びる一対の保形片１０ａ，１０ｂを備えている。
【００２１】
前記一対の保形片１０ａ，１０ｂは、当該襟腰用保形体１の中央（垂直方向に延びる中心線ＣＬ：以下、垂直中心線という）を基準に左右対称に形成されており、それぞれ垂直中心線ＣＬから先端に向けて長手に設定された帯状に形成されている。
【００２２】
そして、本実施形態において、一対の保形片１０ａ，１０ｂのそれぞれは、前記中央から先端側に向けて下り傾斜に形成されている。具体的には、各保形片１０ａ，１０ｂは、垂直中心線ＣＬと直交する仮想線ＶＬに対する傾斜角度θが、２°〜１０°、好ましくは、３°〜６°になるように形成されている。なお、図において、各保形片１０ａ，１０ｂは、上下方向（短手方向）の中央を通る中心線（長手方向に延びる中心線）ＣＬ１が、垂直中心線ＣＬと仮想線ＶＬとの交点を基点にして先下りに傾斜するように形成されている。
【００２３】
該襟腰用保形体１は、図２（ｂ）、図３（ａ）及び図３（ｂ）に示す如く、一対の保形片１０ａ，１０ｂの先端側同士を重ね合わせて環状にしてシャツＳ（Ｓｙ，Ｓｐ）の襟腰Ｃに内嵌するもので、上述の如く、一対の保形片１０ａ，１０ｂを先端側ほど先下りに傾斜させることで、環状にしたときに、中央部分（一対の保形片１０ａ，１０ｂの境界部分）の下端側が上端側よりも開口の内側に位置するように傾斜した態様になるように構成されている。これにより、図４に示す如く、中央部を第一ボタンＢの配置に対応させるようにして襟腰Ｃに内嵌すると、その中央部の上端側が下端側よりも襟腰Ｃに積極的に当接（密接）することになり、襟腰Ｃの前部（打ち合わせ部分）Ｘを起立状態にして保形できるようになっている。そして、このように襟腰Ｃと対応する中央が傾斜した態様となるようにすることで、径方向の剛性も高めることができ、径方向への変形を抑制するようになっている。
【００２４】
そして、本実施形態に係る襟腰用保形体１は、上述の如く環状にした際、すなわち、何れか一方の保形片１０ａの先端側に対して相手側となる何れか他方の保形片１０ｂの先端側を重ね合わせて環状にする際に、保形片１０ａ，１０ｂの先端側同士を互いに連結できるように構成されている。
【００２５】
具体的に説明すると、図２（ａ）及び図２（ｂ）に示す如く、一対の保形片１０ａ，１０ｂのそれぞれには、先端側から長手方向の略中央部分にかけて、長手方向に間隔を有して複数の係止穴１１ａ…，１１ｂ…が形成されるとともに、先端部に係止穴１１ａ…，１１ｂ…に挿入される係止片１２ａ，１２ｂが突設されている。これにより、本実施形態に係る襟腰用保形体１は、一方の保形片１０ａに連設された係止片１２ａ，１２ｂを相手側となる他方の保形片１０ｂの係止穴１１ａ…，１１ｂ…に係止状態で挿入するとともに、他方の保形片１０ｂに連設された係止片１２ａ，１２ｂを相手側となる一方の保形片１０ａの係止穴１１ａ…，１１ｂ…に係止状態で挿入することで、両保形片１０ａ，１０ｂの先端側が大きく交差することなく両保形片１０ａ，１０ｂの長手方向に延びる中心線ＣＬ１が略一致した状態で環状に維持させることができるようになっている。
【００２６】
そして、該襟腰用保形体１は、上述の如く、複数の係止穴１１ａ…，１１ｂ…が保形片１０ａ，１０ｂの長手方向に間隔をおいて設けられているので、相手方の係止片１２ａ，１２ｂを挿入する係止穴１１ａ…，１１ｂ…を適宜選択することで、シャツＳのサイズ（襟腰Ｃの内径）に応じた径に変更できるようになっている。従って、各保形片１０ａ，１０ｂは、長手方向の長さが、何れの係止穴１１ａ…，１１ｂ…に係止片１２ａ，１２ｂを挿入しても先端側同士を重ね合わせた状態でシャツＳの襟腰Ｃに略密接可能となる長さに設定されている。これに対し、各保形片１０ａ，１０ｂの上下方向（短手方向）の長さは、当該襟腰用保形体１を環状にして襟腰Ｃに内嵌した状態で、襟腰Ｃの上端から上方に突出することなく、該襟腰Ｃに略対向する程度の長さに設定されている（図３（ａ）、図３（ｂ）参照）。
【００２７】
本実施形態においては、上述の如く、一対の保形片１０ａ，１０ｂのそれぞれが先端側ほど先下りに傾斜しているため、保形片の短手方向の長さを基端から先端の全長に亘って同寸法にすると、一対の保形片１０ａ，１０ｂが合流する頂点（垂直中心線ＣＬ上に位置する上端）が上方に突出した態様となり、上述の如く保形片１０ａ，１０ｂの短手方向の長さを襟腰Ｃに対応した高さにした場合、襟腰Ｃに内嵌した際に、その頂点近傍が襟腰Ｃの上端（打ち合わせ部分Ｘの上端）から上方に突出した態様となってしまう。
【００２８】
そのため、本実施形態に係る襟腰用保形体１は、各保形片１０ａ，１０ｂの上端縁は、垂直中心線ＣＬを通る上下方向の長さが襟腰Ｃの前部の高さと対応し、且つ、その中央両側が襟腰Ｃの上端から突出することのないように、垂直中心線ＣＬ上の上端（一対の保形片１０ａ，１０ｂの境界の上端）から先端に向けて垂直中心線ＣＬと直交方向（前記仮想線ＶＬと同方向）、或いは、先端側ほど上り傾斜に延びるように形成されている。具体的には、各保形片１０ａ，１０ｂの垂直中心線ＣＬ上の上端（基端）から先端側に向けて延びる上端縁（以下、内側上端縁１３ａ，１３ｂという）は、仮想線ＶＬを基準に０°〜１０°、好ましくは、０°〜５°の角度に設定される。これにより、本実施形態に係る各保形片１０ａ，１０ｂの基端側は、当該襟腰用保形体１の中央に向けて上下方向の幅が徐々に狭くなっている。
【００２９】
さらに、各保形片１０ａ，１０ｂは、長手方向に延びる長穴１４ａ，１４ｂが上下方向の略中央部に部分的に設けられている。本実施形態に襟腰用保形体１は、各保形片１０ａ，１０ｂの先端側の略半分に領域に複数の係止穴１１ａ…，１１ｂ…が設けられているため、各保形片１０ａ，１０ｂには、基端側の略半分の領域内に前記長穴１４ａ，１４ｂが設けられている。なお、長穴１４ａ，１４ｂは、保形片１０ａ，１０ｂの短手方向の開口幅Ｗを保形片１０ａ，１０ｂの短手方向の長さ（短手方向の最大寸法）の約１０％〜２０％程度に設定し、保形片１０ａ，１０ｂの長手方向の開口長さＬを、前記開口幅Ｗの約５倍〜１５倍程度に設定することが好ましい。
【００３０】
このように、保形片１０ａ，１０ｂの長手方向に長手を有する長穴１４ａ，１４ｂを設けることで、シャツＳが積み重ねられる等して襟腰Ｃに内嵌した襟腰用保形体１に上端側から荷重がかかった際に、その荷重を逃がして、保形片１０ａ，１０ｂが短手方向で屈曲してしまう（長手方向に延びる折曲稜線が形成されるような態様で曲がってしまう）ことを防止できるようになっている。すなわち、長穴１４ａ，１４ｂを介して保形片１０ａ，１０ｂを上下二つの領域に分断することで、上端側からの荷重が作用しても各領域自体が屈曲しにくくなる結果、各領域が接近するように長穴１４ａ，１４ｂの両端部近傍が部分的に歪に変形する。これにより、上述のような線状の曲げ稜線が形成されるような態様になりにくくなる（座屈しにくくなる）ため、荷重の作用から解き放たれた際に復元するようになっている。
【００３１】
そして、本実施形態に係る襟腰用保形体１は、中央の下端から下方に延出した支持部１５を備えている。すなわち、上記構成の一対の保形片１０ａ，１０ｂに跨るように、襟腰用保形体１の中央部下端に下方に延出した片からなる支持部１５が設けられている。該支持部１５は、襟腰用保形体１（一対の保形片１０ａ，１０ｂ）を環状して襟腰Ｃに内嵌した際に、下端が全周に亘って折り畳まれたシャツＳの後身頃Ｓｒに当接するのを防止する役目を担っている。すなわち、図４に示す如く、支持部１５が下端の一部で延出（突出）することで、襟腰Ｃに内嵌した際に後身頃Ｓｒに対する部分的な接触のみを許容し、後身頃Ｓｒに環状の接触痕がついてしまうのを防止するようにしている。
【００３２】
以上のように、本実施形態に係る襟腰用保形体１は、各保形片１０ａ，１０ｂが中央から先端側に向けて下り傾斜に形成されているので、径方向の剛性を高めて襟腰Ｃの保形性を高めることができる。そして、一対の保形片１０ａ，１０ｂを環状にして襟腰Ｃに内嵌した状態で、最上のボタンＢに対応する中央（中央部）において、中央部が下端側から前身頃Ｓｆと後身頃Ｓｒとの間に滑り込むような姿勢（上部が下部よりも襟腰Ｃから離れるように傾斜した態様）にならず、襟腰Ｃの前部（打ち合わせ部分）を起立状態で保形することができる。
【００３３】
次に、本発明の第二実施形態に係る襟腰用保形体について説明する。なお、本実施形態に係る襟腰用保形体は、第一実施形態と同様の一対の保形片及び支持部を備えているので、第一実施形態と同様の構成については、同一名称及び同一符号を付して説明を割愛し、相違する構成についてのみ説明する。
【００３４】
本実施形態に係る襟腰用保形体は、図５（ａ）及び図５（ｂ）に示す如く、一対の保形片１０ａ，１０ｂ、支持部１５に加え、各保持片１０ａ，１０ｂに対して間接的に延設され、折り畳まれたシャツＳの前身頃Ｓｆと後身頃Ｓｒとの間に挿入される抜止片１７ａ，１７ｂを備えている。具体的には、本実施形態に係る襟腰用保形体１は、各保形片１０ａ，１０ｂの上端から延出した一対の折返片１６ａ，１６ｂと、各折返片１６ａ，１６ｂの先端から延出した一対の抜止片１７ａ，１７ｂとを備えている。
【００３５】
前記一対の折返片１６ａ，１６ｂは、各保形片１０ａ，１０ｂの上端に延設され、襟腰Ｃに内嵌したときに該襟腰Ｃと対向する、すなわち、保形片１０ａ，１０ｂと襟腰Ｃとの間に介在するように、保形片１０ａ，１０ｂとの境界ＢＬ１で折り返されるようになっている。本実施形態において、一対の折返片１６ａ，１６ｂは、中央の両側、すなわち、保形片１０ａ，１０ｂの上端縁の一部である前記内側上端縁１３ａ，１３ｂから延出しており、該内側上端縁１３ａ，１３ｂに沿って折り返されるようになっている。なお、保形片１０ａ，１０ｂと折返片１６ａ，１６ｂとの境界ＢＬ１に型押し等で折曲罫線を設けるようにしてもよいが、前記境界ＢＬ１に沿って折り返し位置に目印のラインを設けるようにしてもよい。
【００３６】
かかる一対の折返片１６ａ，１６ｂは、上述の如く折り返されることで、折り返し稜線近傍の復元力（弾性力）により、対向する襟腰Ｃ側に起き上がろうとする。そのため、各折返片１６ａ，１６ｂは、抜止片１７ａ，１７ｂの接続される先端側が少なくとも襟腰Ｃに押し付けられるような態様となる。これにより、折返片１６ａ，１６ｂの先端から延出した抜止片１７ａ，１７ｂが前身頃Ｓｆと後身頃Ｓｒとの間に強制的に押し込まれるようになっている。また、折返片１６ａ，１６ｂの復元（起き上がり）が、環状になった襟腰Ｃを径方向に押し広げるように作用することで、環状にした一対の保形片１０ａ，１０ｂと襟腰Ｃとの密接度を高めて襟腰Ｃに対する保形性をも向上させるようになっている。
【００３７】
前記一対の抜止片１７ａ，１７ｂは、各折返片１６ａ，１６ｂの先端に延設され、該折返片１６ａ，１６ｂとの境界ＢＬ２で折り曲げられるようになっている。該抜止片１７ａ，１７ｂと折返片１６ａ，１６ｂとの境界ＢＬ２には、型押し等で折曲罫線を設けるようにしてもよいが、前記境界ＢＬ２に沿って折り返し位置に目印のラインを設けるようにしてもよい。そして、抜止片１７ａ，１７ｂと折返片１６ａ，１６ｂとの境界ＢＬ２は、折返片１６ａ，１６ｂを保形片１０ａ，１０ｂとの境界ＢＬ１で折り返した状態で、保形片１０ａ，１０ｂの下端縁に略沿うように設定されている。
【００３８】
各抜止片１７ａ，１７ｂは、図６（ａ）及び図６（ｂ）に示す如く、前身頃Ｓｆと後身頃Ｓｒとの間に挿入されることで前身頃Ｓｆに係止された状態となって、当該襟腰用保形体１が襟腰Ｃから脱落するのを阻止するようになっている。特に、本実施形態においては、折返片１６ａ，１６ｂの起き上がり作用によって、抜止片１７ａ，１７ｂが強制的に前身頃Ｓｆと後身頃Ｓｒとの間に押し込まれるような態様となるため、環状になった保形片１０ａ，１０ｂが径方向内側に変形したとしても、抜止片１７ａ，１７ｂが前身頃Ｓｆと後身頃Ｓｒとの間で介在した状態で維持することができ、襟腰Ｃからの脱落が防止される。また、このように折返片１６ａ，１６ｂの復元力の作用で前身頃Ｓｆと後身頃Ｓｒとの間から抜止片１７ａ，１７ｂが抜け出ることが防止されるので、抜止片１７ａ，１７ｂは、前身頃Ｓｆに係止可能な必要最小限の大きさに設定されている。すなわち、本実施形態に係る襟腰用保形体１は、保形片１０ａ，１０ｂの変形に追従して抜止片１７ａ，１７ｂが前身頃Ｓｆと後身頃Ｓｒとの間から抜け出る方向に移動することが少ないため、必要最小限の大きさに設定されている。
【００３９】
以上のように、本実施形態に係る襟腰用保形体１によれば、第一実施形態と同様に、先端側ほど先下りする一対の保形片１０ａ，１０ｂを備えるとともに、中央部の下部から延出した支持部１５を備えているので、かかる構成によって第一実施形態と同様に作用、効果を奏することができる。
【００４０】
そして、本実施形態においては、各保形片１０ａ，１０ｂの上端から延出し、該保形片と襟腰Ｃとの間に介在するように折り返される一対の折返片１６ａ，１６ｂと、各折返片１６ａ，１６ｂの先端から延出し、折返片１６ａ，１６ｂとの境界を境にして折り曲げられて前身頃Ｓｆと後身頃Ｓｒとの間に挿入される一対の抜止片１７ａ，１７ｂとを備えることで、抜止片１７ａ，１７ｂを前身頃Ｓｆに係止させた状態に強制的にすることができ、当該襟腰用保形体１の脱落を確実に防止することができる。また、折返片１６ａ，１６ｂの復元力で環状にした一対の保形片１０ａ，１０ｂと襟腰Ｃとの密接度を高めることができ、脱落の防止のみならず、襟腰Ｃに対する保形性をも向上させることができる。
【００４１】
次に、本発明の第三実施形態に係る襟腰用保形体について説明する。本実施形態においても、第一実施形態と同様の一対の保形片及び支持部を備え、第二実施形態の抜止片に相当する構成を備えているので、第一及び第二実施形態と同様の構成、或いは相当する構成については、同一名称及び同一符号を付して説明を割愛し、相違する構成についてのみ説明する。
【００４２】
本実施形態に係る襟腰用保形体１は、図７（ａ）及び図７（ｂ）に示す如く、一対の保形片１０ａ，１０ｂ、及び支持部１５に加え、各保持片１０ａ，１０ｂに対して直接的に延設され、折り畳まれたシャツＳの前身頃Ｓｆと後身頃Ｓｒとの間に挿入される抜止片１７ａ，１７ｂを備えている。具体的には、本実施形態に係る襟腰用保形体１は、中央の両側に位置する保形片１０ａ，１０ｂの下端のそれぞれから延出した一対の抜止片１７ａ，１７ｂを備えている。
【００４３】
前記一対の抜止片１７ａ，１７ｂは、保形片１０ａ，１０ｂとの境界ＢＬ３で折り曲げられるようになっている。該保形片１０ａ，１０ｂと抜止片１７ａ，１７ｂとの境界ＢＬ３には、型押し等で折曲罫線を設けるようにしてもよいが、前記境界ＢＬ２に沿って折り返し位置に目印のラインを設けるようにしてもよい。
【００４４】
かかる一対の抜止片１７ａ，１７ｂは、図８（ａ）及び図８（ｂ）に示す如く、前身頃Ｓｆと後身頃Ｓｒとの間に挿入されることで前身頃Ｓｆに係止された状態となって、当該襟腰用保形体１が襟腰Ｃから脱落するのを阻止するようになっている。
【００４５】
以上のように、本実施形態に係る襟腰用保形体１によれば、第一実施形態と同様に、先端側ほど先下りする一対の保形片１０ａ，１０ｂを備えるとともに、中央部の下部から延出した支持部１５を備えているので、かかる構成によって第一実施形態と同様に作用、効果を奏することができる。
【００４６】
そして、本実施形態においては、各保形片１０ａ，１０ｂの下端に連設され、該保形片１０ａ，１０ｂとの境界ＢＬ３を境にして折り曲げられて前身頃Ｓｆと後身頃Ｓｒとの間に挿入される一対の抜止片１７ａ，１７ｂを備えることで、抜止片１７ａ，１７ｂを前身頃Ｓｆに係止させた状態にすることができ、当該襟腰用保形体１の脱落を確実に防止することができる。
【００４７】
尚、本発明の襟腰用保形体は、上記何れの実施形態にも限定されるものではなく、本発明の要旨を逸脱しない範囲内において種々変更を加え得ることは勿論である。
【００４８】
上記第一乃至第三実施形態において、樹脂シートを打ち抜いて或いは裁断して襟腰用保形体１全体を作製するようにしたが、これに限定されるものではなく、例えば、厚紙を上記実施形態と同様に打ち抜いて或いは裁断して襟腰用保形体１全体を作製するようにしてもよい。すなわち、シャツＳに装着する際に、襟腰用保形体１（一対の保形片１０ａ，１０ｂ）を環状にできるシート材料であれば特に限定されるものではない。
【００４９】
上記第一乃至第三実施形態において、各保形片１０ａ，１０ｂに複数の係止穴１１ａ…，１１ｂ…と係止片１２ａ，１２ｂを設けて、互いに接続できるようにしたが、例えば、何れか一方の保形片１０ａ，１０ｂに上記実施形態と同様に係止穴１１ａ…，１１ｂ…を設けるとともに、何れか他方の保形片１０ａ，１０ｂの先端に係止片１２ａ，１２ｂを延設するようにしてもよい。但し、両保形片１０ａ，１０ｂの先端側同士が、長手方向に延びる中心線を一致させて接続するには、第一乃至第三実施形態と同様の構成にするか、或いは、図９に示すような構成にすることが好ましい。
【００５０】
すなわち、図９に示した襟腰用保形体１は、一方の保形片１０ａに対して、上記実施形態と同様の係止片１２ａが延設されるとともに、長手方向に延びる長穴２０が先端側の領域に設けられ、他方の保形片１０ｂに対して、上記実施形態と同様に複数の係止穴１１ｂ…が設けられるとともに、先端に前記長穴２０に係止状態で挿入される突片２１が延設されている。他方の保形片１０ｂに延設された突片２１は、基端部側が一方の保形片１０ａの長穴２０の短手方向の開口幅よりも狭い幅に設定され、先端部の両側に張り出した（延出した）一対の係止部２２，２２が設けられている。
【００５１】
かかる構成によれば、一方の保形片１０ａの係止片１２ａを他方の保形片１０ｂの係止穴１１ｂ…に挿入して係止させるとともに、他方の保形片１０ｂの突片２１を一方の保形片１０ａの長穴２０に挿入して突片２１の係止部２２，２２を保形片１０ａに係止させることで、両保形片１０ａ，１０ｂの先端側の移動が規制され、両保形片１０ａ，１０ｂの先端側同士が、長手方向に延びる中心線を一致させて接続することができる。そして、突片２１を挿入する穴２０を長穴にすることで、突片２１が長穴２０に沿って長手方向に移動可能となる結果、一方の保形片１０ａに延設された係止片１２ａを他方の保形片１０ｂに設けられた複数の係止穴１１ｂ…の何れに挿入しても、その係止片１２ａの係止位置に対応した位置で突片２１が一方の保形片１０ａに係止されるので、上記第一乃至第三実施形態と同様に、種々のサイズのシャツＳに採用することができる。
【００５２】
上記第一乃至第三実施形態において、中央部の下端に支持部１５を設けたが、支持部１５は、あくまでも接触痕が付くのを防止するためのものであるので、必ず設ける必要はなく、必要に応じて設けるようにすればよい。
【００５３】
また、上記第一乃至第三実施形態において、各保形片１０ａ，１０ｂの基端側（垂直中心線ＣＬ側）の略半分の領域内に長穴１４ａ，１４ｂを設けて上方側からの荷重を逃がして座屈するのを防止するようにしたが、これに限定されるものではなく、かかる長穴１４ａ，１４ｂは必要に応じて設けるようにすればよい。また、長穴１４ａ，１４ｂを設ける場合、上記実施形態のように各保形片１０ａ，１０ｂに一つずつ設けた構成に限定されるものではなく、各保形片１０ａ，１０ｂに複数の長穴１４ａ，１４ｂを断続的に同一直線状に設けるようにしてもよい。但し、上記実施形態のように、各保形片１０ａ，１０ｂに係止片１２ａ，１２ｂ及び係止穴１１ａ…，１１ｂ…等を設けて互いに連結可能な構成とする場合には、これらの構成を躱して長穴１４ａ，１４ｂを設けることは言うまでもない（図９参照）。
【００５４】
上記第二及び第三実施形態において、一対の抜止片１７ａ，１７ｂを各保形片１０ａ，１０ｂに対して直接的又は間接的に延設するようにしたが、これに限定されるものではなく、基本的には第一実施形態のように先端側ほど先下りに傾斜した一対の保形片１０ａ，１０ｂを備えていればよく、抜止片１７ａ，１７ｂは必要に応じて設けるようにすればよい。
【図面の簡単な説明】
【００５５】
【図１】本発明の第一乃至第三実施形態に係る襟腰用保形体が採用されるシャツを折り畳んだ状態の斜視図であって、（ａ）は、一部を省略したワイシャツの斜視図を示し、（ｂ）は、一部を省略したポロシャツの斜視図を示す。
【図２】第一実施形態に係る襟腰用保形体の説明図であって、（ａ）は、平面図を示し、（ｂ）は、襟腰用保形体（一対の保形片）を環状にした状態の斜視図を示す。
【図３】第一実施形態に係る襟腰用保形体をシャツに装着した状態の斜視図であって、（ａ）は、ワイシャツに装着した状態を示し、（ｂ）は、ポロシャツに装着した状態を示す。
【図４】第一実施形態に係る襟腰用保形体を襟腰に装着した状態の内部状態を説明するための説明図であって、保形片に付帯する係止穴、係止片、長穴の図示を省略し、シャツを仮想線で示した概略側面図を示す。
【図５】本発明の第二実施形態に係る襟腰用保形体の説明図であって、（ａ）は、平面図を示し、（ｂ）は、襟腰用保形体（一対の保形片）を環状にした状態の斜視図を示す。
【図６】第二実施形態に係る襟腰用保形体をシャツに装着した状態の斜視図であって、（ａ）は、ワイシャツに装着した状態を示し、（ｂ）は、ポロシャツに装着した状態を示す。
【図７】本発明の第三実施形態に係る襟腰用保形体の説明図であって、（ａ）は、平面図を示し、（ｂ）は、襟腰用保形体（一対の保形片）を環状にした状態の斜視図を示す。
【図８】第三実施形態に係る襟腰用保形体をシャツに装着した状態の斜視図であって、（ａ）は、ワイシャツに装着した状態を示し、（ｂ）は、ポロシャツに装着した状態を示す。
【図９】本発明の他実施形態に係る襟腰用保形体の平面図を示す。
【図１０】従来の襟腰用保形体の説明図であって、（ａ）は、襟腰に内嵌した状態の斜視図を示し、（ｂ）は、従来の襟腰用保形体の一態様の平面図を示し、（ｃ）は、従来の別の態様の襟腰用保形体の平面図を示す。
【図１１】図１０（ｃ）に示す襟腰用保形体を襟腰に装着した状態の内部状態を説明するための説明図であって、シャツを仮想線で示した概略側面図を示す。
【符号の説明】
【００５６】
１…襟腰用保形体、１０ａ，１０ｂ…保形片、１１ａ，１１ｂ…係止穴、１２ａ，１２ｂ…係止片、１３ａ，１３ｂ…内側上端縁、１４ａ，１４ｂ…長穴、１５…支持部、１６ａ，１６ｂ…折返片、１７ａ，１７ｂ…抜止片、ＣＬ…垂直中心線、ＶＬ…仮想線、Ｓ…シャツ、Ｓｙ…ワイシャツ、Ｓｐ…ポロシャツ、Ｓｆ…前身頃、Ｓｒ…後身頃、Ｂ…ボタン、Ｃ…襟腰、Ｃｂ…台襟、Ｃｒ…折返襟、Ｘ…打ち合わせ部分
【図１】
2008095214.tif 000003
【図２】
2008095214.tif 000004
【図３】
2008095214.tif 000005
【図４】
2008095214.tif 000006
【図５】
2008095214.tif 000007
【図６】
2008095214.tif 000008
【図７】
2008095214.tif 000009
【図８】
2008095214.tif 000010
【図９】
2008095214.tif 000011
【図１０】
2008095214.tif 000012
【図１１】
2008095214.tif 000013